(57)【要約】【課題】使用者が明示的にアクセスしたいウェブサイトを指定することなく、アクセスするウェブサイトを推薦する情報処理装置を提供する。【解決手段】本発明の実施形態に係る情報処理装置は、ブラウザ手段がウェブページへアクセスした際、そのウェブページを含むウェブサイトからフィードを検出し、そのウェブサイトを識別する情報と、そのアクセスの際の状況でのそのウェブサイトへのアクセスの頻度と、前記検出されたフィードとを関連付けて記憶手段に記憶させるフィード登録手段と、状況を取得し、その取得された状況でのアクセスの頻度が大きいウェブサイトから検出されたフィードを前記記憶手段から検索し、その検索されたフィードに係る情報を表示手段に表示させるウェブサイト推薦手段とを備えた。【選択図】  図２
2012048558.tif 000002
【特許請求の範囲】
【請求項１】
ブラウザ手段がウェブページへアクセスした際、そのウェブページを含むウェブサイトからフィードを検出し、そのウェブサイトを識別する情報と、そのアクセスの際の状況でのそのウェブサイトへのアクセスの頻度と、前記検出されたフィードとを関連付けて記憶手段に記憶させるフィード登録手段と、
状況を取得し、その取得された状況でのアクセスの頻度が大きいウェブサイトから検出されたフィードを前記記憶手段から検索し、その検索されたフィードに係る情報を表示手段に表示させるウェブサイト推薦手段と
を備えたことを特徴とする情報処理装置。
【請求項２】
前記フィードは、そのフィードのＵＲＬと、そのフィードが対象とするフィードソースとを含み、
前記フィードソースは、ウェブページを示すＵＲＬ中のディレクトリを含み、
前記フィード登録手段は、複数のフィードが検出された場合、その複数のフィードのＵＲＬの中で、前記アクセスされたウェブページのＵＲＬの文字列と共通の文字列を多く含むフィードが検出されたとし、又は、その複数のフィードのフィードソースに含まれるディレクトリの中で、前記アクセスされたウェブページのＵＲＬの文字列と共通の文字列を多く含むフィードが検出されたとする
ことを特徴とする請求項１に記載の情報処理装置。
【請求項３】
前記フィード登録手段は、前記アクセスされたウェブページ、及び、そのウェブページを含むウェブサイトのトップページから前記フィードを検出する
ことを特徴とする請求項２に記載の情報処理装置。
【請求項４】
前記フィード登録手段は、前記フィードが検出されない場合、前記アクセスされたウェブページを含むウェブサイトを識別する情報と関連付けて前記記憶手段に記憶されていたフィードが検出されたとする
ことを特徴とする請求項３に記載の情報処理装置。
【請求項５】
前記フィードは、ウェブページのＵＲＬを含む１つ又は複数個の項目を含み、
前記フィード登録手段は、前記フィードが検出されない場合、前記記憶手段に記憶されていたフィードに前記アクセスされたウェブページのＵＲＬを含む項目を追加して更新記憶させる
ことを特徴とする請求項２に記載の情報処理装置。
【請求項６】
前記状況とは、時間帯、曜日、及び、装置が位置する場所の中の１つ又は複数である
ことを特徴とする請求項１に記載の情報処理装置。
【請求項７】
前記フィードは、ウェブページのＵＲＬを含む１つ又は複数個の項目を含み、
前記ウェブサイト推薦手段は、未読の前記ウェブページのＵＲＬを含む項目を多く含む前記フィードに係る情報を前記表示手段に表示させる
ことを特徴とする請求項１に記載の情報処理装置。
【請求項８】
前記フィードに含まれる項目は、その項目にＵＲＬが含まれるウェブページの内容が更新された更新日時を含み、
前記ウェブサイト推薦手段は、前記更新日時が新しい項目を含む前記フィードに係る情報を前記表示手段に表示させる
ことを特徴とする請求項７に記載の情報処理装置。
【請求項９】
前記ウェブサイト推薦手段は、前記表示手段に表示させたフィードに係る情報の中の１つが入力手段からの入力によって選択された場合、その選択された情報によって識別されるフィードに含まれる項目に係る情報を前記表示手段に表示させる
ことを特徴とする請求項７又は請求項８に記載の情報処理装置。
【請求項１０】
前記ウェブサイト推薦手段は、前記フィードに含まれる項目に係る情報を前記表示手段に表示させる際、既読の前記ウェブページのＵＲＬを含む項目に係る情報を表示させない
ことを特徴とする請求項９に記載の情報処理装置。
【請求項１１】
前記ウェブサイト推薦手段は、前記フィードに含まれる項目に係る情報を前記表示手段に表示させる際、前記更新日時が新しい項目に係る情報を先に表示させる
ことを特徴とする請求項９に記載の情報処理装置。
【請求項１２】
前記ウェブサイト推薦手段は、前記フィードに係る情報に代えて、そのフィードに含まれる項目であって、未読の前記ウェブページのＵＲＬを含む項目に係る情報を前記表示手段に一覧表示させる
ことを特徴とする請求項７に記載の情報処理装置。
【請求項１３】
前記ウェブサイト推薦手段は、前記フィードに係る情報に代えて、そのフィードに含まれる項目であって、前記更新日時が新しい項目に係る情報を前記表示手段に一覧表示させる
ことを特徴とする請求項８に記載の情報処理装置。
【発明の詳細な説明】
【技術分野】
【０００１】
本発明の実施形態は、情報処理装置に関する。
【背景技術】
【０００２】
ウェブ（Web）サイトにアクセスする情報処理装置で、装置の使用者は、限られた数のサイトへアクセスすることが多い。なぜなら、使用者が興味を持つウェブページが含まれるサイトの数は限られるからである。そこで、装置は、アクセス中のウェブページのＵＲＬ（Uniform Resource Locator）を使用者の操作に基づいて記憶し、使用者の再度の閲覧の際の使用に供することが知られている。
【０００３】
また、対象とするウェブサイトに含まれる又はそのウェブサイトのサブセットに含まれるウェブページで、内容が更新されたページのＵＲＬや更新日時、内容の概要の一覧からなるフィードと呼ばれる要約情報をそのウェブサイト内に記憶させ、使用者の閲覧に供することが知られている。更に、装置は、使用者にアクセスするウェブページを推薦する方式が知られている。
【先行技術文献】
【特許文献】
【０００４】
【特許文献１】特開２００７−３３４４７６号公報（第２−３頁、図１、図７）
【発明の概要】
【発明が解決しようとする課題】
【０００５】
しかしながら、使用者が興味を持つ情報が記憶されたウェブページの推薦には、例えば、使用者がキーワードを入力し、装置は入力されたキーワードに従って推薦するウェブページを決定する等、使用者の操作が必要である問題点があった。
【０００６】
本発明は上記問題点を解決するためになされたもので、使用者が明示的にアクセスしたいウェブサイトを指定することなく、アクセスするウェブサイトを推薦する情報処理装置を提供することを目的とする。
【課題を解決するための手段】
【０００７】
上記目的を達成するために、本発明の実施形態に係る情報処理装置は、ブラウザ手段がウェブページへアクセスした際、そのウェブページを含むウェブサイトからフィードを検出し、そのウェブサイトを識別する情報と、そのアクセスの際の状況でのそのウェブサイトへのアクセスの頻度と、前記検出されたフィードとを関連付けて記憶手段に記憶させるフィード登録手段と、状況を取得し、その取得された状況でのアクセスの頻度が大きいウェブサイトから検出されたフィードを前記記憶手段から検索し、その検索されたフィードに係る情報を表示手段に表示させるウェブサイト推薦手段とを備えたことを特徴とする。
【図面の簡単な説明】
【０００８】
【図１】本発明の実施形態に係る移動通信装置の構成を示すブロック図。
【図２】本発明の実施形態に係るフィード推薦部の構成を示すブロック図。
【図３】本発明の実施形態に係るフィード推薦部の動作のシーケンス図。
【図４】本発明の実施形態に係るサイト情報の構成の一例を示す図。
【図５】本発明の実施形態に係るアクセス状況の構成の一例を示す図（単一要素対応）。
【図６】本発明の実施形態に係るアクセス状況の構成の一例を示す図（複数要素対応）。
【図７】本発明の実施形態に係るフィード情報の構成の一例を示す図。
【図８】本発明の実施形態に係るフィード検出登録部の動作のフローチャート。
【図９】本発明の実施形態に係るフィード評価部の動作のフローチャート。
【図１０】本発明の実施形態に係る推薦フィード報知部によって表示されるウェブサイトを示す情報の一覧の一例を示す図。
【発明を実施するための形態】
【０００９】
以下に、本発明の実施形態に係る情報処理装置の実施の形態を、図面を参照して説明する。
【００１０】
図１は、本発明の実施形態に係る情報処理装置が適用された移動通信装置の構成を示すブロック図である。この移動通信装置は、装置全体の制御を行う制御部１１と、移動通信網通信部１２と、移動通信網に属する基地局（図示せず）との間で無線信号の送受信を行うアンテナ１２ａと、移動通信網送受信部１３と、通話部１４と、受話音声出力に用いられるスピーカ１４ａと、送話音声入力に用いられるマイクロフォン１４ｂと、装置の使用者に情報を視覚的に提示する表示部１５と、表示部１５の表示画面に接して設置されたタッチパッド１６と、使用者からの操作指示を入力するキー入力部１７と、記憶部１８と、ブラウザ部２１と、装置の状況を把握する装置状況把握部２２と、使用者に閲覧するフィードを推薦するフィード推薦部３０とからなる。
【００１１】
なお、表示部１５及びタッチパッド１６はタッチパネルを構成する。また、制御部１１、ブラウザ部２１、装置状況把握部２２、及びフィード推薦部３０は、記憶部１８に記憶されたプログラムがＣＰＵ（図示せず）に実行されることによって実装される。制御部１１は、ＯＳの機能を実行し、ブラウザ部２１、装置状況把握部２２、及びフィード推薦部３０を起動して動作させる。記憶部１８には、これらのプログラムの他、各部で使用される情報が主にファイルとして記憶される。更に、記憶部１８には、フィード推薦部３０の動作に係るサイト情報、及び、フィード情報が記憶される。
【００１２】
図２は、フィード推薦部３０の構成を示すブロック図である。フィード推薦部３０は、ブラウザ部２１の動作を監視するウェブアクセス監視部３１と、ブラウザ部２１がアクセスしたウェブサイトに係るフィードを検出し、装置状況把握部２２によって得られた装置の状況と共に記憶部１８に記憶させるフィード検出登録部３２と、装置状況把握部２２によって得られた装置の状況に依存して、記憶部１８に記憶されたフィードを評価するフィード評価部３３と、フィード評価部３３によって高い評価となったフィードに関する情報を表示部１５に表示させる推薦フィード報知部３４とからなる。
【００１３】
なお、図中のフィード推薦部３０に係る矢印は、主に情報の流れを示す。ただし、フィード推薦部３０の動作の概要を容易に理解できるように付したもので、情報の流れを完全に示すものではない。
【００１４】
上記のように構成された、本発明の実施形態に係る移動通信装置の各部の機能を、図１及び図２を参照して説明する。
【００１５】
移動通信網通信部１２は、アンテナ１２ａが基地局から受信した無線信号から高周波信号を得て、この高周波信号を移動通信網送受信部１３に送信する。また、移動通信網送受信部１３から送信された高周波信号をアンテナ１２ａに送信する。
【００１６】
移動通信網送受信部１３は、移動通信網通信部１２からの高周波信号を増幅、周波数変換及び復調し、それによって得たデジタル音声信号を通話部１４へ、制御信号を制御部１１へ、それぞれ送信する。更には、移動通信網送受信部１３は、通話部１４から送信されたデジタル音声信号と、制御部１１から送信された制御信号とを変調、周波数変換及び増幅し、高周波信号を得て、それを移動通信網通信部１２に送信する。また、ブラウザ部２１の要求に従い、ＵＲＬで識別されるウェブページを記憶するウェブサーバ装置（図示せず）との間の通信を行う。
【００１７】
通話部１４は、移動通信網送受信部１３から送信されたデジタル音声信号をアナログ音声信号に変換し、それを増幅してスピーカ１４ａに送って出力させる。また、マイクロフォン１４ｂが送信するアナログ音声信号を増幅し、それをデジタル音声信号に変換して移動通信網送受信部１３へ送信する。
【００１８】
表示部１５は、使用者に操作を促す表示や、使用者が操作した内容の表示や、装置の動作状態の表示等に用いられる有機ＥＬディスプレー（Organic Electro-Luminescence Display）又はバックライト付きのＬＣＤ（Liquid Crystal Display）であって、制御部１１及び装置の各部に制御されることで、文字、数字、更に、アイコンを含む画像データを表示、出力する。なお、画像の一部は、操作を識別するソフトキーであり、タッチパッド１６のその画像に対応する位置への接触（以後、この接触を単にソフトキーへの接触と称する。）は、その位置と関係付けられた所定の動作をさせるための入力操作とされる。
【００１９】
タッチパッド１６は、表示部１５の表示画面の大きさと略等しい大きさであって、指やスタイラスペン（以後、指及びスタイラスペンを指等と称する。）が接触されたこと、及び、接触がなくなったことを検出する。ここで、接触とは、距離が所定の閾値未満であることを含む。そして、接触が検出された際、接触が検出された位置を制御部１１に通知する。
【００２０】
このように、表示部１５及びタッチパッド１６は、タッチパネルとして動作し、タッチパッド１６への指等の接触は入力操作となる。なお、以後、指等の接触を単に接触と称する。また、タッチパッド１６への接触による入力操作を単に入力操作と称する。なお、接触を検出する方式は、抵抗膜方式、静電容量方式、電磁波の指等による反射を検出する方式等、任意の方式である。
【００２１】
キー入力部１７は、使用者によって押下される操作キーからなり、操作キーが押下されると、そのキーの識別子を制御部１１に通知する。操作キーは、電源のオン、オフキー、通話の際の音量の調整キー、通話の着呼、発信、終話キー等の限られた数の指示キーからなる。
【００２２】
ブラウザ部２１は、移動通信網送受信部１３を介してウェブサーバ装置へアクセスすることにより、指定されたＵＲＬによって識別されるウェブページへアクセスしてそのウェブページに含まれる情報を受信し、そのページに含まれる文字、及び画像を表示部１５に表示させる。
【００２３】
装置状況把握部２２は、装置の状況を把握する。状況は、第１に、制御部１１に含まれる時計部（図示せず）に要求して得られる要求した際の年月日、曜日、及び時刻である。第２に、ＧＰＳ測位部（図示せず）に測位させて得られる緯度及び経度から得た装置が位置する場所の自治体名、町名、丁目等である。緯度及び経度から自治体名等を得るには、装置状況把握部２２内に記憶された、又は、住所データベースサーバ装置（図示せず）に記憶された住所データベースを参照する。
【００２４】
フィード推薦部３０は、ブラウザ部２１がアクセスしたウェブページのＵＲＬのアクセス頻度を記憶し、記憶されたアクセス頻度から装置の使用者に閲覧を推薦するフィードを決定し、そのフィードを示す情報の一覧を表示部１５にソフトキーとして表示させる。なお、フィード推薦部３０は、ブラウザ部２１がウェブページへアクセスする度に、装置状況把握部２２によって把握された装置の状況毎のアクセス頻度を記憶させる。また、推薦する際に、装置状況把握部２２によって把握された装置の状況に応じて推薦するウェブページを決定する。
【００２５】
次に、図３に示すフィード推薦部３０の各部の動作のシーケンスを参照して、フィード推薦部３０の各部の動作を説明する。なお、図で、上は早い時刻、下は遅い時刻であり、時刻の経過と共に各部が動作する順の一例を示す。
【００２６】
ウェブアクセス監視部３１は、ブラウザ部２１に係るイベントを監視し、ブラウザ部２１がウェブページにアクセスする度に、そのウェブページに係る情報をブラウザ部２１から取得する（ステップＴ１）。ウェブページに係る情報には、そのページが含まれるウェブサイトのトップページに係る情報を含む。なお、ウェブサイトは、特定のドメインに含まれるウェブページの集まりである。また、トップページは、ウェブサイトの最上位の階層にあり、そのサイトへ入り口とされることが多いウェブページである。
【００２７】
フィード検出登録部３２は、ウェブアクセス監視部３１によって取得されたウェブページに係る情報から、アクセスしたウェブページに係るフィードを検出する（ステップＴ２）。ここで、フィードとは、ウェブサイトの要約を示し、そのサイトに含まれるウェブページのＵＲＬ（このウェブページへは、リンクによって結合されている。）となっている。）、そのページの更新時刻、及びそのページのタイトル等である。なお、フィードの一例は、ＲＳＳ（RDF Site Summary、Rich Site Summary、又はReally Simple Syndication）である。また、フィード検出登録部３２は、ウェブページにアクセスした際の装置の状況を装置状況把握部２２に把握させる。そして、アクセスしたウェブページに係る情報と、上記フィードと、上記装置の状況とを関連付けて記憶部１８に記憶させる（ステップＴ３）。
【００２８】
フィード評価部３３は、装置の状況を装置状況把握部２２に把握させ、把握された状況に基づいて記憶部１８に記憶されたフィードを評価し、その評価値を記憶部１８に記憶させ（ステップＴ４）、また、高い評価となったフィードを推薦するフィードとして通知する（ステップＴ５）。ここで、フィード評価部３３は、把握された状況と関連付けて記憶部１８に記憶されたフィードを高く評価する。
【００２９】
推薦フィード報知部３４は、入力操作によって動作を開始し、フィード評価部３３を起動させ、フィード評価部３３から通知された、評価値が大きいフィードに係るタイトル等を表示部１５にソフトキーとして一覧表示させる。又は、フィード評価部３３を起動させずに、記憶部１８に記憶された評価値が大きいフィードを読み出して（ステップＴ６）、評価値が大きいフィードに係るタイトル等を表示部１５にソフトキーとして一覧表示させる。そして、ソフトキーに接触された場合、そのソフトキーに対応するウェブページへブラウザ部２１にアクセスさせる。
【００３０】
ここで、記憶部１８に記憶される、フィード推薦部３０の動作に係るサイト情報、及び、フィード情報を説明する。サイト情報は、フィード検出登録部３２によって記憶されるブラウザ部２１がアクセスしたウェブページに係る情報であり、図４に構成を例示するように、ウェブサイト識別子１８ａと、ウェブサイトタイトル１８ｂと、ファビコン１８ｃと、アクセス状況１８ｄとが関連付けられた情報からなる。
【００３１】
ウェブサイト識別子１８ａは、アクセスしたウェブページが含まれるウェブサイトを識別する情報であり、そのウェブサイトのトップページのＵＲＬである。なお、このＵＲＬは、ファイル名（例えば、index.html。）を含むことが多いが、以後、図４に示すようにファイル名を取り除いたディレクトリとして説明する。言い換えると、ウェブサイトは、そのサイトに含まれ、ディレクトリとファイルとの構成によって管理されるウェブページの最上位の階層のディレクトリとして説明する。これによって、ウェブサイトと、ウェブサイトのドメイン名とは対応付けられるので、両者を同様に扱って説明する。ウェブサイトタイトル１８ｂは、ウェブサイト識別子１８ａが示すウェブサイトの標題（ＨＴＭＬ言語で、「title」タグに伴われた文字列。）である。ファビコン１８ｃは、ウェブサイト識別子１８ａが示すウェブサイトのファビコン（Favicon、ウェブページに付されたアイコン。）である（ファビコンが記憶されたファイル名は、ＨＴＭＬ言語で「link」タグに伴われて記載される。）。
【００３２】
アクセス状況１８ｄは、ウェブサイト識別子１８ａが示すウェブサイトへのアクセスの頻度、具体的には、装置が如何なる状況において、そのウェブサイトが何回アクセスされたかを示し、以下に詳しく説明する。アクセス状況１８ｄは、図５に構成を例示する単一要素対応、即ち、時刻アクセス回数対応と、曜日アクセス回数対応と、場所アクセス回数対応とを含む。更に、図６に構成を例示する複数要素対応、即ち、曜日時刻アクセス回数対応と、場所時刻アクセス回数対応とを含む。
【００３３】
時刻アクセス回数対応は、時刻１８ｅと、アクセス回数１８ｆとが関連付けられた情報であり、１日の時刻を時間単位で、即ち、０〜１時、１〜２時、．．．２３〜２４時の２４に分類し、それぞれの時刻１８ｅにおけるアクセス回数１８ｆを示す。曜日アクセス回数対応は、曜日１８ｇと、アクセス回数１８ｆとが関連付けられた情報であり、日を曜日によって７種類に分類し、それぞれの曜日１８ｇにおけるアクセス回数１８ｆを示す。場所アクセス回数対応は、場所１８ｈと、アクセス回数１８ｆとが関連付けられた情報であり、装置が位置する場所を町の丁目単位に分類し、それぞれの場所１８ｈにおけるアクセス回数１８ｆを示す。
【００３４】
曜日時刻アクセス回数対応は、曜日及び時刻１８ｉと、アクセス回数１８ｆとが関連付けられた情報であり、時刻を、曜日１８ｇで説明したように曜日によって７に分け、更に、時刻１８ｅで説明したように時間単位に２４に分けることによって、時刻を１６８通りの曜日及び時刻に分類し、それぞれの曜日及び時刻１８ｉにおけるアクセス回数１８ｆを示す。場所時刻アクセス回数対応は、場所及び時刻１８ｊと、アクセス回数１８ｆとが関連付けられた情報であり、時刻を、場所１８ｈで説明したように町の丁目単位に分け、更に、時刻１８ｅで説明したように時間単位に２４に分けることによって装置が置かれた状況を場所及び時刻で分類し、それぞれの場所及び時刻１８ｊにおけるアクセス回数１８ｆを示す。
【００３５】
なお、全てのアクセス状況１８ｄにアクセス回数１８ｆが含まれるとしたが、これに限るものではない、要は、状況毎にアクセスの頻度が記憶されれば良いので、回数に限らず、比率が記憶されても良い。また、アクセス回数１８ｆと共にアクセスが行われた時刻を記憶し、所定の日数以前の過去のアクセスの回数をアクセス回数１８ｆから減算しても良い。また、遠い過去のアクセスの回数には小さい正の重みを、近い過去のアクセスの回数には大きい正の重みを乗算した積の総和をアクセス回数１８ｆとしても良い。このような処理によれば、使用者の興味が移ることへの対応が可能である。
【００３６】
フィード情報は、フィード検出登録部３２によって記憶され、フィード評価部３３及び推薦フィード報知部３４によって更新される情報であり、図７に構成を例示するように、フィードソース識別子１８ｍと、フィードＵＲＬ１８ｎと、フィードタイトル１８ｏと、評価値１８ｐと、１組又は複数組の項目に係る情報とが関連付けられた情報からなる。項目に係る情報は、項目ＵＲＬ１８ｑと、項目概要１８ｒと、更新日時１８ｓと、閲覧１８ｔとが関連付けられた情報からなる。１つのフィード情報は、１つのフィードに係る情報である。
【００３７】
なお、フィードが記述されたウェブページから取得され、１つのフィードに１つの情報であるフィードソース識別子１８ｍと、フィードＵＲＬ１８ｎと、フィードタイトル１８ｏとは、フィードの目次にあたり、チャネルと称することがある。なお、チャネルには、全ての項目ＵＲＬ１８ｑが含まれることもある。また、項目ＵＲＬ１８ｑと、項目概要１８ｒと、更新日時１８ｓとは、フィードが記述されたウェブページから取得される。
【００３８】
フィードソース識別子１８ｍは、フィードソース、即ち、ウェブサイト又はそのウェブサイトに含まれるＵＲＬのディレクトリであって、フィードは、そのウェブサイト中の、又は、そのディレクトリの下位階層のウェブページの要約情報を含むことを示す。フィードＵＲＬ１８ｎは、フィードのＵＲＬである。フィードタイトル１８ｏは、フィードに付された文字列であるタイトルである。評価値１８ｐは、フィード評価部３３によって評価されて記憶される、フィードソース識別子１８ｍによって識別されるフィードソースより下位の階層のウェブページに対して使用者が持つ興味、言い換えるとアクセスしたい度合いである。
【００３９】
項目ＵＲＬ１８ｑは、フィードに含まれる項目のＵＲＬであって、フィードに記憶された情報である。項目概要１８ｒは、項目ＵＲＬ１８ｑが示すページの概要を示す、フィードに記憶された文字列である。更新日時１８ｓは、項目ＵＲＬ１８ｑが示すページの内容が更新された時刻を示す、フィードに記憶された情報である。図示した更新日時１８ｓは、時及び分であり、年月日を省略したが、これは、図を分かり易くしたためである。閲覧１８ｔは、項目ＵＲＬ１８ｑが示すページのアクセスが行われたか否かを示し、行われた場合「既読」、行われていない場合「未読」である。閲覧１８ｔは、フィード検出登録部３２によってフィード情報が新規記憶される際には「未読」が記憶され、推薦フィード報知部３４によって「既読」に更新記憶される。この閲覧１８ｔの記憶は、ブラウザ機能として周知であり、ブラウザ部２１によって行われても良い。
【００４０】
ここで、サイト情報と、フィード情報とは、トップページのＵＲＬ（これは、ドメイン名に対応する。）によって結合される情報であって、一体とした構成をとって記憶されても良い。ここで、トップページのＵＲＬは、サイト情報のウェブサイト識別子１８ａであり、また、フィード情報のフィードソース識別子１８ｍ又はフィードＵＲＬ１８ｎから得られる。
【００４１】
次に、フィード推薦部３０が装置の使用者に閲覧を推薦するフィードを決定する動作の詳細を説明する。この説明は、第１に、フィード検出登録部３２がサイト情報及びフィード情報を記憶部１８に記憶させる動作の説明、第２に、記憶部１８に記憶されたフィード情報が示すフィードの評価値１８ｐをフィード評価部３３が更新記憶する動作の説明からなる。
【００４２】
図８は、フィード検出登録部３２がサイト情報及びフィード情報を記憶部１８に記憶させる動作のフローチャートを示す。フィード検出登録部３２は、ブラウザ部２１がウェブページにアクセスしたことを検出したウェブアクセス監視部３１によって起動されて動作を開始する（ステップＳ３２ａ）。この起動に際し、アクセスしたウェブページに係る情報が通知される。この情報は、そのページのＵＲＬ、そのページが記述されたＨＴＭＬ言語による文、そのページが含まれるウェブサイトのトップページのＵＲＬ、そのページが記述されたＨＴＭＬ言語による文である。ＨＴＭＬ言語による文には、ページのタイトル、ファビコンも含まれる。
【００４３】
フィード検出登録部３２は、アクセスしたウェブサイト、即ち、通知されたウェブページ（アクセスしたページと、そのページが含まれるウェブサイトのトップページ。）からフィードを検出する（ステップＳ３２ｂ）。具体的には、これらのページが記述されたＨＴＭＬ言語による文中の<head>タグから</head>タグまでのヘッダ情報中のrel属性がalternate、かつ、typeの属性がapplication/rss+xmlである<link>タグを検索し、その中のtitle属性値としてフィードのタイトルが、href属性値としてフィードのＵＲＬが得られる。
【００４４】
上記処理によってフィードが検出されたか否かを判断し（ステップＳ３２ｃ）、フィードが１つ検出された場合、フィード検出登録部３２は、検出されたフィードのＵＲＬとフィードＵＲＬ１８ｎとが等しいフィードをフィード情報から検索することによって、そのフィードが既に記憶部１８に記憶されているか否かを判断する（ステップＳ３２ｄ）。検索されなかった、即ち、記憶されていない場合、フィード検出登録部３２は、検出されたフィードに係るフィード情報を記憶部１８に新規記憶させる。更に、アクセスしたウェブページに係るサイト情報を記憶部１８に記憶させて（ステップＳ３２ｅ）、動作を終了する（ステップＳ３２ｆ）。
【００４５】
なお、上記フィード情報が記憶されていないことは、アクセスしたウェブページを含むウェブサイトへのアクセスがされていなかったことを通常意味するので、サイト情報も多くの場合新規記憶であり、以後、新規記憶として説明する。例外として、従来そのウェブサイトへのアクセスがされていたが、そのアクセスの際にはそのウェブサイトにはフィードが記憶されていなかった、そして、新たにフィードが記憶された場合がある。この場合、サイト情報は、後に述べるように更新記憶させる。
【００４６】
ステップＳ３２ｅで記憶させる情報は、以下の通りである。まず、サイト情報のウェブサイト識別子１８ａには、ウェブアクセス監視部３１から通知されたアクセスしたページが含まれるウェブサイトのトップページのＵＲＬをディレクトリとした扱ったものを、ウェブサイトタイトル１８ｂには、そのトップページのＨＴＭＬ言語による文に含まれるタイトルを、ファビコン１８ｃにはそのトップページ又はアクセスしたページのＨＴＭＬ言語による文に含まれるファビコンを記憶させる。
【００４７】
また、フィード検出登録部３２は、装置状況把握部２２に要求して、装置の状況、即ち、時刻、曜日、及び場所を取得する。そして、アクセス状況１８ｄを記憶させる。即ち、時刻アクセス回数対応に関し、取得された時刻が含まれる時刻１８ｅと関連付けられたアクセス回数１８ｆに「１」を、その他のアクセス回数１８ｆに「０」を記憶させる。曜日アクセス回数対応に関し、取得された曜日と等しい曜日１８ｇと関連付けられたアクセス回数１８ｆに「１」を、その他のアクセス回数１８ｆに「０」を記憶させる。場所アクセス回数対応に関し、場所１８ｈに取得された場所を、アクセス回数１８ｆに「１」を関連付けて記憶させる。
【００４８】
更に、取得された曜日及び時刻が含まれる曜日及び時刻１８ｉと関連付けられたアクセス回数１８ｆに「１」を、その他のアクセス回数１８ｆに「０」を記憶させる。取得された場所及び時刻が含まれる場所及び時刻１８ｊと関連付けられたアクセス回数１８ｆに「１」を、その他のアクセス回数１８ｆに「０」を記憶させる。
【００４９】
また、フィード情報のフィードソース識別子１８ｍには、得られたフィードのＵＲＬへアクセスして得た、そのフィードのソースのＵＲＬ、即ち、フィードが含む要約が如何なる階層より下位にあるウェブページの要約であるかを示すＵＲＬを、フィードＵＲＬ１８ｎには、得られたフィードのＵＲＬを、フィードタイトル１８ｏには、得られたフィードのＵＲＬへアクセスして得たタイトルを記憶させる。なお、評価値１８ｐに記憶された値をクリアする。また、項目ＵＲＬ１８ｑと、項目概要１８ｒと、更新日時１８ｓとには、それぞれ得られたフィードのＵＲＬへアクセスして得た値を記憶させ、閲覧１８ｔには「未読」を記憶させる。ただし、フィード検出登録部３２の動作開始の契機となったウェブページへのアクセスが項目ＵＲＬ１８ｑによって識別されるページへのアクセスである場合、「既読」を記憶させる。
【００５０】
ステップＳ３２ｄで上記フィードが検索された、即ち、既に記憶部１８に記憶されていた場合、フィード検出登録部３２は、サイト情報のアクセス状況１８ｄを更新記憶させ（ステップＳ３２ｇ）、動作を終了する（ステップＳ３２ｆ）。ステップＳ３２ｇの更新記憶は、具体的には、時刻アクセス回数対応、曜日アクセス回数対応、及び曜日時刻アクセス回数対応のそれぞれについて、いずれかのアクセス回数１８ｆに「１」を加えて記憶させる。更に、場所アクセス回数対応、及び場所時刻アクセス回数対応のそれぞれについて、いずれかのアクセス回数１８ｆに「１」を加えて記憶させ、又は、新たに関連付けられた１組の情報を新規記憶させる。この新規記憶は、従来位置したことのない場所でウェブページへのアクセスが行われた場合に行われる。
【００５１】
ステップＳ３２ｃでフィードが複数検出された場合、フィード検出登録部３２は、その中の１つのフィードを選択して（ステップＳ３２ｈ）、ステップＳ３２ｄのそのフィードが既に記憶部１８に記憶されているか否かを判断する動作に移る。
【００５２】
ステップＳ３２ｈのフィード選択の動作は、以下の２つの動作のいずれか、又は、組合せである。第１に、フィード検出登録部３２は、動作開始の契機となったウェブページへのアクセスに係るウェブページのＵＲＬと、複数検出されたフィードのＵＲＬとを比較し、類似するＵＲＬを持つフィードを選択する。類似の判断基準を、例を用いて説明する。
【００５３】
動作開始の契機はウェブページhttp://www.aa.bb.jp/sports/golf/index.htmlへのアクセスであるとし、４つのフィードが検出され、それらのＵＲＬは、それぞれ
（１）http://www.aa.bb.jp/index
（２）http://www.aa.bb.jp/politics
（３）http://www.aa.bb.jp/sports
（４）http://www.aa.bb.jp/business
とする。
【００５４】
これらの全てのＵＲＬで、ドメイン名（www.aa.bb.jp）は共通であり、類似の程度に差はない。しかし、アクセスしたウェブページのＵＲＬの、ファイル部分ではなく、ディレクトリ部分に含まれる「sports」は、（３）に示すＵＲＬに含まれているので、フィード検出登録部３２は、そのＵＲＬで識別されるフィードを選択する。なぜなら、そのフィードは、装置の使用者が興味を持っているスポーツに特化したフィードであり、装置の使用者にとって有用と考えられるからである。
【００５５】
なお、上記の他に、更に１つのフィードが検出され、そのＵＲＬは、
（５）http://www.aa.bb.jp/golf
である場合、フィード検出登録部３２は、このフィードを選択する。なぜなら、「sports」も、「golf」もアクセスしたウェブページのＵＲＬのディレクトリ部分に含まれるが、「golf」がより下位のディレクトリ部分、即ち、より下位の階層に含まれるからである。より下位であることは、より細分化された概念であることを示し、装置の使用者は、スポーツ全般よりもゴルフに関する内容へのアクセスを望むと考えられるからである。
【００５６】
このように、２つのＵＲＬの比較によって類似するＵＲＬが得られない場合、フィード検出登録部３２は、検出されたフィードのＵＲＬの中で、最も上に、言い換えると、最初に記述されていたＵＲＬを選択する。なぜなら、それは、最も汎用で、ウェブサイト全体の要約を示すフィードのＵＲＬであると判断されるからである。
【００５７】
第２に、フィード検出登録部３２は、動作開始の契機となったウェブページへのアクセスに係るウェブページのＵＲＬと、検出されたフィードのフィードソース（フィードソース識別子１８ｍに記憶される情報。）とを比較し、類似するＵＲＬを持つフィードを選択する。特に、後者のいずれかが下位階層として前者を含む場合、そのフィードを選択する。類似の判断基準を、例を用いて説明する。
【００５８】
第１の動作の説明の場合と同じく、動作開始の契機はウェブページhttp://www.aa.bb.jp/sports/golf/index.htmlへのアクセスであるとし、４つのフィードが検出され、それらのフィードは、それぞれ
（１）http://www.aa.bb.jp/
（２）http://www.aa.bb.jp/politics/
（３）http://www.aa.bb.jp/sports/
（４）http://www.aa.bb.jp/business/
をフィードソースとするものであるとする。
【００５９】
これらの全てのＵＲＬで、ドメイン名（www.aa.bb.jp）は共通であり、類似の程度に差はない。しかし、これらのフィードソースの中で、アクセスしたウェブページのＵＲＬを含むディレクトリは、（３）であり、フィード検出登録部３２は、（３）をフィードソースとするフィードを選択する。なお、上記の他に、更に１つのフィードが検出され、そのフィードは、
（５）http://www.aa.bb.jp/sports/golf/
をフィードソースとするものである場合、フィード検出登録部３２は、このフィードを選択する。これらの理由は、第１の動作で説明した理由と同じである。
【００６０】
ステップＳ３２ｃでフィードが検出されなかった場合、フィード検出登録部３２は、アクセスしたウェブページと同じウェブサイトに含まれるフィードＵＲＬ１８ｎを持つフィード情報を検索して、記憶部１８に記憶されているか否かを判断する（ステップＳ３２ｉ）。記憶されている場合、フィード検出登録部３２は、そのフィード情報に係るフィードがステップＳ３２ｃで検出されたとして動作をする。即ち、検索されたフィード情報が複数であれば、その中の１つをステップＳ３２ｈの動作で説明したように選択し（図示せず）、ステップＳ３２ｇの更新記憶動作に移る。なお、この際、サイト情報は記憶されていない可能性があるので、その場合、サイト情報についてはステップＳ３２ｅの新規記憶の動作を行う（図示せず）。
【００６１】
ステップＳ３２ｉで、上記フィード情報が検索されない場合、フィード検出登録部３２は、既存のフィードの項目としてアクセスしたページを追加し、又は、そのページを項目に含む新たなフィードを作成して（ステップＳ３２ｊ）、ステップＳ３２ｅのフィードを新規記憶させる動作に移る。この追加や作成に際し、フィード検出登録部３２の起動に際に通知されたアクセスしたウェブページに係る情報から作成されない情報は、入力操作によって補われる。又は、値が記憶されない。
【００６２】
なお、フィード検出登録部３２は、上記追加する動作を行うか、上記作成する動作を行うか、又は、いずれも行わないかを、使用者の入力操作に基づいて判断する（図示せず）。また、既存のフィードの項目としてアクセスしたページを追加し、又は、そのページを項目に含む新たなフィードを作成することは、ステップＳ３２ｃでフィードが検出された場合に行っても良い（図示せず）。
【００６３】
なお、既存のフィードの項目としてアクセスしたページを追加する動作、及び、そのページを項目に含む新たなフィードを作成する動作は、ブラウザ部２１の動作、及び、アクセスしたウェブサイトを管理するウェブサーバ装置がそれを許す場合、フィード検出登録部３２は、それらに要求して行わせる。許さない場合、項目を追加したフィード、又は、作成したフィードを記憶部１８に新規記憶させる。そして、フィード検出登録部３２は、ステップＳ３２ｅのフィードを新規記憶させる動作に移る。
【００６４】
図９は、フィード評価部３３が記憶部１８に記憶されたフィード情報が示すフィードの評価値１８ｐを更新記憶する動作のフローチャートを示す。フィード評価部３３は、所定の時間間隔で、及び／又は、推薦フィード報知部３４の要求により動作を開始し（ステップＳ３３ａ）、フィード情報の評価値１８ｐの値を消去し（ステップＳ３３ｂ）、装置状況把握部２２に装置の状況を把握させる（ステップＳ３３ｃ）。ここで、状況とは、既に述べたように、時刻、曜日、及び、町の丁目単位で把握された場所である。
【００６５】
フィード評価部３３は、全てのフィード情報の評価値１８ｐが算出され記憶されているか否かを判断し（ステップＳ３３ｄ）、全てが算出済みで記憶されていれば、動作を終了する（ステップＳ３３ｅ）。なお、推薦フィード報知部３４の要求により動作を開始した場合、フィード評価部３３は、動作終了の際、評価値１８ｐの値が大きい数個のフィード情報を選択し、それらのフィード情報を識別する情報、例えば、フィードＵＲＬ１８ｎを、評価値１８ｐが大きい順を付して推薦フィード報知部３４に通知する（図示せず）。
【００６６】
ステップＳ３３ｄで、未算出で記憶されていない評価値１８ｐがある場合、フィード評価部３３は、その評価値１８ｐの１つを算出して記憶させ（ステップＳ３３ｆ）、ステップＳ３３ｄの全てのフィード情報の評価値１８ｐが算出され記憶されているか否かを判断する動作に移る。
【００６７】
ここで、評価値１８ｐを算出する動作は、以下のように行われる。フィード評価部３３は、その評価値１８ｐと関連付けられたフィードソース識別子１８ｍがウェブサイト識別子１８ａの下位階層にあるサイト情報を検索し、そのサイト情報のアクセス状況１８ｄを得る。このアクセス状況１８ｄを参照して、その評価値１８ｐを算出する。即ち、把握された時刻を含む時刻１８ｅと関連付けられたアクセス回数１８ｆに単調非減少関数を施して時刻アクセス回数対応部分評価値を算出する。単調非減少関数を施すことにより、アクセス回数１８ｆがより大きければ、時刻アクセス回数対応部分評価値はより小さくなることはない。
【００６８】
同様に、フィード評価部３３は、把握された曜日と等しい曜日１８ｇと関連付けられたアクセス回数１８ｆに単調非減少関数を施して曜日アクセス回数対応部分評価値を算出する。把握された場所と等しい場所１８ｈと関連付けられたアクセス回数１８ｆに単調非減少関数を施して場所アクセス回数対応部分評価値を算出する。ここで、把握された場所と等しい場所１８ｈが場所アクセス回数対応に記憶されていない場合、場所アクセス回数対応部分評価値は、値を持たない。
【００６９】
更に、フィード評価部３３は、把握された曜日と時刻とを含む曜日及び時刻１８ｉと関連付けられたアクセス回数１８ｆに単調非減少関数を施して曜日時刻アクセス回数対応部分評価値を算出する。把握された場所と時刻とを含む場所及び時刻１８ｊと関連付けられたアクセス回数１８ｆに単調非減少関数を施して場所時刻アクセス回数対応部分評価値を算出する。
【００７０】
そして、フィード評価部３３は、算出された時刻アクセス回数対応部分評価値、曜日アクセス回数対応部分評価値、場所アクセス回数対応部分評価値、曜日時刻アクセス回数対応部分評価値、及び場所時刻アクセス回数対応部分評価値のそれぞれに、正の数であるそれぞれの部分評価値に依存した重みを乗じた積の総和を算出して、評価値１８ｐとしてフィード情報に記憶させる。この処理によって、装置の状況が同様であった過去においてアクセスされたウェブサイトの評価値１８ｐを大きくすることができる。
【００７１】
なお、評価値１８ｐの算出は、以上説明したように、過去のアクセスに依存しない要素によって、又は、その要素を加味して行われても良い。例えば、評価値１８ｐは、上述した値に、閲覧１８ｔが「未読」である項目の数に単調非減少関数を施したものに正の数である重みを乗じた数を加えたものであっても良い。
【００７２】
以上説明した評価値１８ｐの算出は、より少ない処理量で行うこともできる。例えば、フィード評価部３３は、ステップＳ３３ｂで、評価値１８ｐの値を消去した。しかし、上述した部分評価値の一部は、一日の間は同じ値である。そこで、それらの部分評価値は、ある日に算出した後、記憶部１８内に記憶させる。そして、その日には再び算出する処理を省略することができる。
【００７３】
ここで、推薦フィード報知部３４は、評価値１８ｐが大きい所定個数のフィード情報に関し、評価値１８ｐが大きい順にフィードＵＲＬ１８ｎをフィード評価部３３からの通知によって、又は、記憶部１８に記憶されたフィード情報を検索することによって得る。そして、そのフィードＵＲＬ１８ｎによって識別されるウェブサイトを示す情報を評価値１８ｐが大きい順に表示部１５にソフトキーとして一覧表示させる。
【００７４】
図１０は、このウェブサイトを示す情報の一覧表示の一例を示す。この一覧表示は、推薦ウェブサイトタイトル１５ａと、第１のウェブサイト表示１５ｂ−１と、第２のウェブサイト表示１５ｂ−２と、第３のウェブサイト表示１５ｂ−３と、．．．からなる。ソフトキーである第ｉのウェブサイト表示１５ｂ−ｉ（ｉは、１以上の自然数。）は、ドメイン名表示１５ｃと、更新時刻表示１５ｄと、ファビコン表示１５ｅと、概要表示１５ｆとからなる。
【００７５】
推薦フィード報知部３４は、これらの情報をサイト情報及びフィード情報を参照して取得して表示する。即ち、推薦ウェブサイトタイトル１５ａは、変更されることのない文字列である。ドメイン名表示１５ｃは、上記フィードＵＲＬ１８ｎから取り出したドメイン名の表示である。なお、あるウェブサイトに係るフィードがそのウェブサイト以外に記憶されることも可能であるため、そのフィードＵＲＬ１８ｎと関連付けられたフィードソース識別子１８ｍから取り出したドメイン名の表示としても良い。なお、ドメイン名表示１５ｃは、上述したドメイン名の表示に代えて、又は、加えて、そのドメインに対応するウェブサイトタイトル１８ｂの表示であっても良い。
【００７６】
更新時刻表示１５ｄは、上記フィードＵＲＬ１８ｎと関連付けられた項目の中で、「未読」である閲覧１８ｔと関連付けられた更新日時１８ｓの中で、最も現在に近い過去の値の表示である。ファビコン表示１５ｅは、上記フィードソース識別子１８ｍから取り出したドメイン名と同じドメイン名を含むウェブサイト識別子１８ａをサイト情報から検索し、検索されたウェブサイト識別子１８ａと関連付けられたファビコン１８ｃの表示である。概要表示１５ｆは、上記フィードＵＲＬ１８ｎと関連付けられた項目の中で、「未読」である閲覧１８ｔと関連付けられた項目概要１８ｒを、関連付けられた更新日時１８ｓが現在に近い過去である順に、即ち、最近に修正されたもの程、先に、即ち、図示するように横書きでは上にして表示したものである。
【００７７】
ソフトキーである第ｉのウェブサイト表示１５ｂ−ｉへ接触がされると、推薦フィード報知部３４は、ブラウザ部２１に要求して、その表示に対応する上記フィードＵＲＬ１８ｎへアクセスさせる。
【００７８】
（第１の変形例）
以上の説明は、１つのウェブサイトから１つのフィードを検出し、１つのフィード情報を記憶させるとして説明したが、これに限るものではない。１つのウェブサイトに複数のフィードが記憶され、それぞれのフィードのフィードソースが異なるように定められている場合、フィード検出登録部３２は、そのウェブサイトに含まれるウェブページへのアクセスによって、そのウェブページをフィードソースとして含むフィードを検出し、フィード情報を記憶させるとしても良い。
【００７９】
この動作の結果、そのウェブサイトの異なるページへのアクセスによって、そのウェブサイトに含まれる複数のフィード情報が記憶され、フィード評価部３３は、それぞれに評価値１８ｐを算出して推薦フィード報知部３４が参照する。この場合、ウェブサイト識別子１８ａに代えて、フィードソースを識別する情報（フィードソース識別子１８ｍと同じ情報。）を記憶させる。即ち、ウェブサイトをフィードソース毎に分割し、フィード推薦部３０は、分割されたウェブサイト毎に、アクセスを推薦するか否かを判断する。
【００８０】
（第２の変形例）
以上の説明で、評価値１８ｐは、フィードＵＲＬ１８ｎに関連付けられて記憶されるとした。言い換えると、評価は、フィードに対して行われるとしたが、これに限るものではない。評価値１８ｐは、項目毎に、即ち、項目ＵＲＬ１８ｑと関連付けて記憶されるとしても良い。言い換えると、フィード評価部３３は、項目毎に評価を行っても良い。この場合、評価値１８ｐは、上述した部分評価値の他、項目毎の更新日時１８ｓが最近の過去である程大きい部分評価値を加えたものとなる。また、この場合、推薦フィード報知部３４は、フィードの一覧表示に代えて、項目の一覧表示を表示部１５にさせても良い。この場合、それぞれの項目がソフトキーであって、そのソフトキーへの接触によって、対応する項目の項目ＵＲＬ１８ｑへのアクセスが行われるとしても良い。
【００８１】
（第３の変形例）
ブラウザ部２１は、フィードＵＲＬ１８ｎへのアクセスに関し、それに関連付けられた項目毎に異なる表示をしても良い。例えば、閲覧１８ｔが「既読」である項目に係る情報は表示しない、更新日時１８ｓがより近い過去である項目、即ち、最近内容が変更されたウェブページに対応する項目ほど先に表示する、などである。
【００８２】
以上説明した実施形態によれば、使用者が明示的にアクセスしたいウェブページを指定することなく、装置は、アクセスするウェブページを使用者に推薦する。
【００８３】
（その他の変形例）
以上の説明は、タッチパネルを有した移動通信装置に本発明を適用した例を用いたが、本発明は、当然にタッチパッド１６を備えず、又は、備えたとしても、キー入力部１７に代えてキー入力部１７より多数のキーを備えた第２のキー入力部を有する装置に適用することが可能である。ここで、第２のキー入力部は、キースイッチからなり、例えば、通信相手の電話番号等を指定し、また、トグル式の入力方式によってひらがな文字、アルファベット文字及び記号文字を入力するための数字キーと、カーソル移動や、表示のスクロール指示を示す矢印キーや、決定キー、着呼キー、終話キー、電源投入及び切断キーを含む複数の機能キーとを含む。
【００８４】
以上の説明は、本発明を移動通信装置に適用した例を用いたが、本発明は、当然にウェブページへアクセスするあらゆる装置、例えば、パソコンや、ＰＤＡに適用することが可能である。装置とウェブサーバ装置との間の通信経路によって何ら制約されるものではない。
【００８５】
（その他の実施形態）
本発明は、上述の実施形態のみに限定されるものではなく、本発明の要旨を逸脱しない範囲内において種々変更を加え得ることは勿論である。
【００８６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００８７】
１１  制御部
１５  表示部
１６  タッチパッド
１７  キー入力部
１８  記憶部
１８ａ  ウェブサイト識別子
１８ｂ  ウェブサイトタイトル
１８ｃ  ファビコン
１８ｄ  アクセス状況
１８ｅ  時刻
１８ｆ  アクセス回数
１８ｇ  曜日
１８ｈ  場所
１８ｉ  曜日及び時刻
１８ｊ  場所及び時刻
１８ｍ  フィードソース識別子
１８ｎ  フィードＵＲＬ
１８ｏ  フィードタイトル
１８ｐ  評価値
１８ｑ  項目ＵＲＬ
１８ｒ  項目概要
１８ｓ  更新日時
１８ｔ  閲覧
２１  ブラウザ部
２２  装置状況把握部
３０  フィード推薦部
３１  ウェブアクセス監視部
３２  フィード検出登録部
３３  フィード評価部
３４  推薦フィード報知部
【図１】
2012048558.tif 000003
【図２】
2012048558.tif 000004
【図３】
2012048558.tif 000005
【図４】
2012048558.tif 000006
【図５】
2012048558.tif 000007
【図６】
2012048558.tif 000008
【図７】
2012048558.tif 000009
【図８】
2012048558.tif 000010
【図９】
2012048558.tif 000011
【図１０】
2012048558.tif 000012